(57)【要約】【課題】  内面パネルの表側において突出部等の油脂分が付着する部分を無くすことで清掃性が向上し、整流板を容易に着脱できる一方で清掃時などに多少力が加えられても整流板の脱落を防止する。【解決手段】  フード２の内面に設けられる内面パネル１０と、内面パネルの前面に取り付けられる整流板２０と、整流板を着脱自在に保持する保持部３０と、を備え、整流板２０は、保持部３０に保持される被保持部２２を含み、被保持部２２が、保持部３０に対してレンジフード１のほぼ正面／背面方向またはほぼ左側面／右側面方向に移動し、整流板２０が着脱される。【選択図】  図３
2015152296.tif 000002
【特許請求の範囲】
【請求項１】
フードの内面に設けられる内面パネルと、
前記内面パネルの前面に取り付けられる整流板と、
前記整流板を着脱自在に保持する保持部と、
を備えるレンジフードであって、
前記整流板は、前記保持部に保持される被保持部を含み、
前記被保持部が、前記保持部に対して前記レンジフードの略正面／背面方向または略左側面／右側面方向に移動し、前記整流板が着脱される、
レンジフード。
【請求項２】
前記保持部は、前記整流板の重心の一方側で前記被保持部を保持することを特徴とする請求項１に記載のレンジフード。
【請求項３】
前記保持部は、前記内面パネルの裏側に設けられ、
前記被保持部は、前記保持部に対応する位置に設けられた前記内面パネルの孔を通して保持されることを特徴とする請求項１または２に記載のレンジフード。
【請求項４】
前記孔は、前記保持部の一部を構成し、前記被保持部を支持することを特徴とする請求項３に記載のレンジフード。
【請求項５】
前記保持部は、前記内面パネルの頂部以外に位置する水平ではない非水平部に存することを特徴とする請求項１または２に記載のレンジフード。
【請求項６】
前記非水平部は、前記レンジフードの正面側から背面側へ下方に向けて設けられることを特徴とする請求項５に記載のレンジフード。
【請求項７】
上面が水平な前記フードを備える請求項５に記載のレンジフードにおいて、
前記非水平部は前記内面パネルの側面であることを特徴とするレンジフード。
【請求項８】
前記被保持部は、棒状であることを特徴とする請求項１乃至７のいずれかに記載のレンジフード。
【請求項９】
前記保持部は、前記被保持部が前記保持部に対して移動して装着される位置にプッシュラッチを備え、前記プッシュラッチは、棒状の前記被保持部の先端部分を挟持することを特徴とする請求項８に記載のレンジフード。
【発明の詳細な説明】
【技術分野】
【０００１】
本発明は、レンジフードに関し、特に、整流板を備えるレンジフードに関する。
【背景技術】
【０００２】
レンジフードは、内蔵するファンにより空気の流れを発生させ、調理に伴い下方から上昇してくる油煙等を内面パネルの吸込み口に備えられたフィルタで捕集し、油分を回収する。従来から、油煙等を効率よく捕集するために、内面パネルの吸込み口の前面となる空気の流れの上流側に整流板が配置されたレンジフードが知られている。
【０００３】
レンジフードに整流板を取り付ける構造として、例えば、特許文献１においては、整流板をフード側部材に対して簡単且つ確実に係止・係止解除できるようにすることを目的としたレンジフードが開示されている。このレンジフードでは、フードカバーの内面に移動可能に設けた操作摘みを設け、その操作摘みと連動する爪体を、整流板に突設した係止片の係止孔に引っ掛けて使用する。
【先行技術文献】
【特許文献】
【０００４】
【特許文献１】特開２００１−００４１８１号公報
【発明の概要】
【発明が解決しようとする課題】
【０００５】
しかし、上記の従来技術では、正面側や側面側で金具等の部品が内面パネルから突出するので、内面パネルの清掃の際に邪魔になり清掃性を損ない、また、空気の吸込みにも悪影響があると考えられていた。
【０００６】
そこで、本発明は、内面パネルの表側において突出部等の油脂分が付着する部分を無くすことで清掃性が向上し、整流板を容易に着脱できる一方で清掃時などに多少力が加えられても整流板の脱落を防止することができるレンジフードを提供するものである。
【課題を解決するための手段】
【０００７】
上記課題を解決するために、フードの内面に設けられる内面パネルと、その内面パネルの前面に取り付けられる整流板と、その整流板を着脱自在に保持する保持部と、を備えるレンジフードであって、整流板は、保持部に保持される被保持部を含み、その被保持部が、保持部に対してこのレンジフードのほぼ正面／背面方向またはほぼ左側面／右側面方向に移動し、整流板が着脱される、レンジフードが提供される。
これによれば、整流板を容易に着脱できると共に、保持部がある程度の長さに亘って被保持部を保持するので、安定した保持が可能となる。
【０００８】
さらに、保持部は、整流板の重心の一方側で被保持部を保持することを特徴としてもよい。
これによれば、整流板を片持ちすることで、整流板を容易に着脱できる。
【０００９】
さらに、保持部は、内面パネルの裏側に設けられ、被保持部は、保持部に対応する位置に設けられた内面パネルの孔を通して保持されることを特徴としてもよい。
これによれば、保持部は内面パネルの裏側にあり、孔は被保持部により塞がれ、保持部が油脂分に触れることはないので、汚れることはないため保持部の清掃は不要となる。また、内面パネルには孔があるだけなので、清掃性に優れる。
【００１０】
さらに、孔は、保持部の一部を構成し、被保持部を支持することを特徴としてもよい。
これによれば、内面パネルには孔があるだけなので清掃性に優れると共に、保持部の構造を簡略化できる。
【００１１】
さらに、保持部は、内面パネルの頂部以外に位置する水平ではない非水平部に存することを特徴としてもよい。
これによれば、略水平方向に移動する被保持部が容易に着脱できる保持部を提供することができる。
【００１２】
さらに、非水平部は、レンジフードの正面側から背面側へ下方に向けて設けられることを特徴としてもよい。
これによれば、面積の大きい非水平部を設けることにより、容易に着脱できる保持部を設ける位置の自由度が増大する。また、例えば、レンジフードの正面側および側面側において内面パネルに吊下げ金具がなく、かつ整流板に係止金具がないので、油脂分が付着する部分が少なく、清掃性が向上する。また、内面パネルと整流板との間において例えば正面側および側面側に吊下げ金具等が無いので、空気の吸込みに悪影響を与えない。
【００１３】
さらに、上面が水平なフードを備えるレンジフードにおいて、非水平部は内面パネルの側面であることを特徴としてもよい。
これによれば、内面パネルの水平な部分に吊下げ金具がないので、例えば、レンジフードの正面側および側面側において内面パネルに吊下げ金具がなく、かつ整流板に係止金具がないので、油脂分が付着する部分が少なく、清掃性が向上する。また、内面パネルと整流板との間において例えば正面側および側面側に吊下げ金具等が無いので、空気の吸込みに悪影響を与えない。また、内面パネル裏面に金具を取り付けるための空間を設ける必要がなく、フードと内面パネルの距離を縮めることができ、フードのさらなる薄型化が可能となる。
【００１４】
さらに、被保持部は、棒状であることを特徴としてもよい。
これによれば、保持部および被保持部が存する側においても、整流板と内面パネルの間に空気を吸込む隙間を十分に確保できる。
【００１５】
さらに、保持部は、被保持部が保持部に対して移動して装着される位置にプッシュラッチを備え、そのプッシュラッチは、棒状の被保持部の先端部分を挟持することを特徴としてもよい。
これによれば、仮に整流板に振動が生じても、容易に抜け落ちることを防止することができると共に、使用者が容易に整流板を着脱できる。
【発明の効果】
【００１６】
以上説明したように、本発明によれば、内面パネルの表側における突出部等の油脂分が付着する部分を無くすことで清掃性が向上し、整流板を容易に着脱できる一方で清掃時などに多少力が加えられても整流板の脱落を防止することができるレンジフードを提供することができる。
【図面の簡単な説明】
【００１７】
【図１】本発明に係る第一実施例におけるレンジフードの、（Ａ）正面図、（Ｂ）平面図、（Ｃ）底面図、（Ｄ）右側面図、（Ｅ）右下から見た斜視図。
【図２】本発明に係る第一実施例におけるレンジフードの、（Ａ）整流板を取り外した時の底面図、（Ｂ）整流板を取り外した時の左下から見た斜視図。
【図３】本発明に係る第一実施例におけるレンジフードの、（Ａ）断面図（図１（Ａ）におけるＡ−Ａ断面）、（Ｂ）断面図（図１（Ａ）におけるＢ−Ｂ断面）、（Ｃ）保持部と被保持部付近の拡大断面図（図１（Ａ）におけるＢ−Ｂ断面）。
【図４】本発明に係る第一実施例におけるレンジフードの整流板の、（Ａ）正面図、（Ｂ）平面図、（Ｃ）底面図、（Ｄ）背面図、（Ｅ）左側面図、（Ｆ）右上から見た斜視図、（Ｇ）左下から見た斜視図。
【図５】本発明に係る第一実施例の変形例におけるレンジフードの、（Ａ）断面図（図１（Ａ）におけるＢ−Ｂ断面相当）、（Ｂ）保持部と被保持部付近の拡大断面図（図１（Ａ）におけるＢ−Ｂ断面相当）。
【図６】本発明に係る第一実施例の変形例における、整流板の装着過程を示す説明図。
【図７】本発明に係る第二実施例におけるレンジフードの、（Ａ）正面図、（Ｂ）平面図、（Ｃ）底面図、（Ｄ）右側面図、（Ｅ）左下から見た斜視図。
【図８】本発明に係る第二実施例におけるレンジフードの、（Ａ）断面図（図７（Ａ）におけるＣ−Ｃ断面）、（Ｂ）保持部と被保持部付近の拡大断面図（図７（Ａ）におけるＣ−Ｃ断面）。
【図９】本発明に係る第二実施例の変形例におけるレンジフードの、（Ａ）正面図、（Ｂ）平面図、（Ｃ）右側面図、（Ｄ）右下から見た斜視図。
【図１０】本発明に係る第二実施例の変形例におけるレンジフードの、（Ａ）断面図（図９（Ａ）におけるＤ−Ｄ断面）、（Ｂ）保持部と被保持部付近の拡大断面図（図９（Ａ）におけるＤ−Ｄ断面）。
【図１１】本発明に係る、（Ａ）他の実施例におけるレンジフードの断面図、（Ｂ）他の実施例の変形例におけるレンジフードの断面図。
【発明を実施するための形態】
【００１８】
以下では、図面を参照しながら、本発明に係る各実施例について説明する。
＜第一実施例＞
図１乃至図３を参照して、本実施例におけるレンジフード１を説明する。レンジフード１は、ファン４を内蔵する送風ボックス３の下部に、内面に内面パネル１０を有する薄型のフード２を備える。フード２は、送風ボックス３の接続部付近であって、フード２のほぼ中央部に、ファン４により発生した空気の流れを吸い込む吸込口を備える。吸込口と対応する位置に、内面パネル１０は開口部１１を有し、そこには油分を捕集するためのフィルタ（図示せず）が備えられる。
【００１９】
レンジフード１は、開口部１１の空気の流れの上流側となる前面に整流板２０を備え、油煙等を含む空気の流れを整流し、油分の捕集効率を高める。上昇してきた油煙等を含む空気は、整流板２０と内面パネル１０で受け止められ、内面パネル１０と整流板２０との間の隙間を通って、開口部１１に吸込まれると共にフィルタで油分が回収され、室外などへ排出される。
【００２０】
レンジフード１のフード２の上面２Ｕは、送風ボックス３以外の部分において、レンジフード１が設置された場合にほぼ水平となり、フード２の上下方向の厚さは、正面側と、側面側の正面側寄りの部分において特に薄く、デザイン性に優れている。フード２の背面側の面と送風ボックス３の背面側の面は面一となっており、レンジフード１の背面側の面は、キッチン等の壁面に接するように設置される。もちろん、本発明に係るレンジフードは、送風ボックス３は側面側の面で面一となっていて側面側の面で壁面に接するように設置されるものでもよいし、送風ボックス３はフード２の中央部に位置して、壁面に接することなく天井に設置されるものであってもよい。
【００２１】
レンジフード１の内面パネル１０は、開口部１１の周りにおいて、設置された時にはほぼ水平となるようにフード２の上面２Ｕとほぼ平行に設けられる水平部１２を備える。フード２の上面２Ｕを形成する部材と水平部１２を形成する部材との距離は非常に小さいため、デザイン性に優れる薄型フードを有するレンジフードに貢献する。内面パネル１０は、水平部１２の周囲に、わずかにフード外側に広がるように下方へ延在する非水平部１３を備える。従って、水平部１２は内面パネル１０の上面を、非水平部１３は内面パネル１０の側面を形成する。
【００２２】
非水平部１３は、正面側、左右側面側、および背面側の、内面パネル１０の４つの側面をなすが、本実施例においては、背面側の非水平部１３が２つの孔１４を有する。もちろんこれに限定されず、孔は、正面側の側面や左右側面側の側面にあってもよい。また、孔は１つであっても、２以上の複数であってもよい。内面パネル１０の側面が矩形である場合、孔は複数の場合、すべての孔が１つの側面（非水平部１３）のみに設けられる。内面パネル１０のすべての側面（非水平部１３）は、整流板２０の周縁と隙間を構成して、その隙間から油煙等を含む空気が吸引される。
【００２３】
孔１４付近の内面パネル１０の裏側に、即ち、内面パネル１０とフード２の上面２Ｕなどによって形成される空間に、整流板２０を着脱自在に保持する保持部３０が設けられる。保持部３０は、後述する孔１４から挿入される整流板２０の被保持部２２を保持するため、孔１４に対応する位置に設けられる。保持部３０は、本実施例では、内面パネル１０の背面側側面の裏側に設けられるが、孔１４が背面側側面に設けられるためであり、孔と同様、孔に対応する位置に設けられる限り、どの側面の裏側に備えられてもよい。
【００２４】
レンジフード１の整流板２０は、図４に示すように、整流板２０の概観を形成し内面パネル１０やフィルタからの油分の滴下を受けて油溜まりとなる板部２１と、板部２１の周囲に内面パネル１０側へ立ち上がり、整流板２０からの油分滴下を防止する立ち上り部２３と、保持部３０に保持される被保持部２２から構成される。板部２１は、整流板２０がレンジフード１に取り付けられた時には、水平部１２とほぼ平行であり、水平となる。被保持部２２は、棒状をなし、その棒状の一端側のほぼ半分程度が板部２１や立ち上り部２３に取り付けられて固定され、他端側が、レンジフード１に取り付けられた場合に整流板２０の背面側となる一辺から突出する。なお、本実施例では、２つの被保持部２２を備えるが、２つの孔１４に対応したものであり、孔の数次第でいくつであってもよい。
【００２５】
被保持部２２の突出した他端は、内面パネル１０の孔１４に対応して設けられ、孔１４に挿入できるように形成されている。被保持部２２の突出した他端側の少なくとも孔１４に挿入される部分は、孔１４の大きさや形状に適合すると共に、整流板２０がレンジフード１に取り付けられた時には、板部２１と同様、水平となる。本実施例では、孔１４は丸孔であり、被保持部２２はその丸孔の径より小さい丸棒で形成されている。また、２つの被保持部２２の突出した他端側の少なくとも孔１４に挿入される部分は互いに平行であり、その間隔は、２つの孔１４の間隔と等しい。その結果、被保持部２２の孔１４に挿入される部分は、孔１４に円滑に挿入することができ、整流板２０の着脱が容易になる。
【００２６】
本実施例では、被保持部２２が棒状で、孔１４も棒状の被保持部２２を挿入できる程度の孔として形成されているが、これに限定されることはなく、例えば、被保持部が面状をなし、孔がその面状の被保持部に対応したスリット状の孔であってもよい。しかし、被保持部の他端側は、整流板２０の周縁と内面パネル１０の側面に跨るものとなるので、本実施例のように被保持部２２が棒状であることが好ましい。これによれば、保持部３０および被保持部２２が存する側（本実施例では背面側）の、整流板２０と内面パネル１０の間の隙間においても、整流板２０と内面パネル１０の間に空気を吸込む隙間を十分に確保できる。
【００２７】
整流板２０がレンジフード１に取り付けられる場合、被保持部２２は、孔１４にその先端部分２２１が差し込まれる。被保持部２２は、その後、孔１４の奥（内面パネル１０の裏側）にある保持部３０に対して背面方向に向かって奥の方まで移動し、整流板２０の周縁が内面パネル１０の側面のすべてと適度な隙間を形成する辺りで、整流板２０が装着される。逆に、整流板２０がレンジフード１から取り外される場合、被保持部２２は、装着されていた位置から保持部３０に対して正面方向に向かって移動し、被保持部２２の先端部分２２１が孔１４から抜け出ることで取り外される。
【００２８】
本実施例では、孔１４および保持部３０が、内面パネル１０の背面側の側面（非水平部１３）にあるので、上述した方向で着脱されるが、例えば、孔および保持部が、正面側の側面（非水平部１３）にある場合は、被保持部が保持部に対して正面方向に向かって移動することで装着され、背面方向に向かって移動することで取り外される。また、孔および保持部が、内面パネルの右側面側の側面にある場合、被保持部が保持部に対して右側面方向に向かって移動することで装着され、左側面に向かって移動することで取り外される。
【００２９】
保持部３０を詳述する。保持部３０は、孔１４の下縁の近傍に設けられた第１支持部３０１と、孔１４から第１支持部３０１より離れた位置に設けられた第２支持部３０２とを備える。整流板２０がレンジフード１に取り付けられた状態では、第１支持部３０１は、被保持部２２を下方から支持し、第２支持部３０２は、被保持部２２を上方から支持する。整流板２０がレンジフード１に取り付けられる場合、被保持部２２の先端部分２２１は、孔１４に差し込まれた後、第１支持部３０１を通過し、さらに第２支持部３０２を通過したところで、装着される。
【００３０】
なお、保持部３０が棒状の被保持部２２を周囲から保持する管状部品から構成され、第１支持部３０１と第２支持部３０２の間にも、これらの支持部が連続して存在してもよいことは言うまでもない。この場合、管状部品の最も孔に近い部分が被保持部２２を下方から支持していれば、そこが第１支持部となり、管状部品の最も孔から遠い部分が被保持部２２を上方から支持していれば、そこが第２支持部となる。
【００３１】
このように、被保持部２２を保持部３０に対して移動させて装着することで、整流板２０を容易に着脱できると共に、保持部３０が有る程度の長さに亘って被保持部２２を保持するので、安定した保持が可能となる。
【００３２】
また、保持部３０は、第２支持部３０２よりさらに孔１４から離れて、被保持部２２が保持部３０に対して移動して装着される位置にプッシュラッチ３１を備えてもよく、そのプッシュラッチ３１は、棒状の被保持部２２の先端部分２２１を挟持する。これによれば、仮に整流板２０に振動が生じても、容易に抜け落ちることを防止することができると共に、使用者が容易に整流板２０を着脱できる。
【００３３】
また、本実施例では、第１支持部３０１が孔１４の下縁の近傍に設けられたが、即ち、第１支持部３０１は孔１４とは異なるものであるが、孔が、保持部の一部を構成し、被保持部を支持することとしてもよい。例えば、孔の下縁は、第１支持部として、被保持部２２を下方から支持してもよい。これによれば、内面パネルには孔があるだけなので清掃性に優れると共に、保持部自体は第１支持部を有さないので保持部の構造を簡略化できる。
【００３４】
上述したように、保持部３０の全体または保持部３０の一部は、内面パネル１０の裏側に設けられ、被保持部２２は、内面パネル１０の孔１４を通して保持される。これによれば、保持部３０は、内面パネル１０の裏側にあり、孔１４が被保持部２２により塞がれることでほぼ閉鎖空間内に配置されることとなり、保持部３０が油脂分に触れることはないため、汚れることはない。その結果、保持部３０の清掃は不要となる。また、内面パネル１０には孔１４があるだけなので、清掃性に優れる。
【００３５】
通常、内面パネル１０の表面や、内面パネル１０と整流板２０との間の隙間に存在する物は、油分が付着し易く汚れが溜まり易く、また、フード前方からの吸込量を背面側よりも比較的多くしているためにフード前方においては汚れがより多く付着する。しかし、本実施例では、孔１４が位置する非水平部１３は、内面パネルの背面側の側面である。そうすると、背面側以外の正面側や側面側には、整流板２０や内面パネル１０には整流板２０を支持するような吊下げ金具のようなものは何も存在しない。従って、内面パネル１０の水平部１２にそのようなものがないので、レンジフード１の正面側および側面側において内面パネル１０に吊下げ金具等がなく、かつ整流板２０に係止金具等がないため、油脂分が付着する部分が存在せず、清掃性が向上する。また、内面パネル１０と整流板２０との間において正面側および側面側に吊下げ金具等が無いので、空気の吸込みに悪影響を与えない。また、内面パネル１０の裏面１０Ｕ（特に水平部１２の裏面）に金具を取り付けるための空間を設ける必要がなく、フード２の上面２Ｕを形成する部材と内面パネル１０（特に水平部１２）の距離を縮めることができ、フード２のさらなる薄型化が可能となり、デザイン性に優れる薄型フードを有するレンジフードに貢献する。
【００３６】
＜第一実施例の変形例＞
図５を参照し、本変形例におけるレンジフード１’を説明する。上記実施例にかかるレンジフード１の内面パネル１０は、開口部１１の周りにおいて、設置された時にはほぼ水平となるようにフード２の上面２Ｕとほぼ平行に設けられる水平部１２を備える。本変形例にかかるレンジフード１’の内面パネル１０’は、水平部は有さず、開口部１１の周りにおいてもわずかであるが正面側から背面側に下方へ向けた非水平部１３’を備える。これによれば、最も油分が付着し易い内面パネル１０’の正面側付近に付着した油分が背面側へ流れて行き、その油分が開口部１１の正面側縁端で整流板２０に滴下することで、油分を整流板２０で回収し易くなる。
【００３７】
孔１４と保持部３０は、レンジフード１と同様、緩やかな傾斜の非水平部１３’の周囲にわずかにフード外側に広がるように下方へ延在する非水平部１３に設けられることが好ましい。非水平部１３’に孔が設けられると、孔の形状が楕円状となり、孔の径が大きくなり、油脂分が内面パネル１０の裏側に入り込むことがあるからである。
【００３８】
図６を参照し、使用者が整流板２０をレンジフード１’に装着する場合の手順について説明する。（Ａ）は、整流板２０がレンジフード１’に取り付けられる前の状態を示している。使用者は、整流板２０を取り付けるため、板部２１などを掴み整流板２０全体重量を支えながら、孔１４をめがけて被保持部２２の先端部分２２１を背面側の方であってやや上方へ向けて（ＤＭ方向）移動させる。
【００３９】
（Ｂ）は、（Ａ）の移動をさせた後、被保持部２２の先端部分２２１が孔１４に挿入された時を示す。この段階では、被保持部２２が孔１４の下縁で支えられるので、使用者は、整流板２０全体重量を支える必要はなく、整流板２０の一部の重量を支えながら、被保持部２２の先端部分２２１がより孔１４の奥の方へ、即ち背面側の方であってやや上方へ向けて（ＤＭ方向）へ移動させる。
【００４０】
（Ｃ）は、（Ｂ）の背面側への移動の過程おいて被保持部２２の先端部分２２１が第１支持部３０１を通りすぎた時を示す。第１支持部３０１は、被保持部２２を下から指示している。これまでは使用者は整流板２０を背面側の方であってやや上方に向けて移動させてきたが、この段階では、使用者は、整流板２０をほぼ水平に取り付けるため、整流板２０の正面側の一辺を持ち上げるように（ＤＭ方向）移動させる。なお、整流板２０の正面側の一辺から先端部分２２１までの距離は、内面パネル１０の正面側側面（非水平部１３）から背面側側面（非水平部１３）までの距離とほぼ等しい。これにより、整流板２０の着脱を円滑に行うことができる。
【００４１】
（Ｄ）は、（Ｃ）の移動の後、整流板２０の板部２１がほぼ水平になった状態を示す。こうすることにより、被保持部２２の先端部分２２１が、第２支持部３０２の方へ向くことで、被保持部２２がさらに背面側の方へ移動し易くなる。使用者は、被保持部２２をさらに孔１４の奥の方へ、即ち背面側の方へ（ＤＭ方向）へ移動させる。そうすると、被保持部２２は、保持部３０に対して、背面側の方へ移動する。
【００４２】
（Ｅ）は、（Ｄ）の移動の後、整流板２０がレンジフード１’に完全に取り付けられて装着された状態を示す。この段階では、被保持部２２の先端部分２２１は、（Ｄ）の移動の過程において第２支持部３０２を通りすぎ、移動方向において第２支持部３０２よりさらに奥の方（背面側）にあったプッシュラッチ３１に挟持される。被保持部２２は、保持部３０に、第１支持部３０１に下から支持され、かつ、第２支持部３０２に上から支持されることにより、保持される。
【００４３】
整流板２０の重心ＣＧは、被保持部２２の重量は板部２１の重量に比べればかなり少ないので、図示するように、板部２１のほぼ中心当たりに位置する。整流板２０の重心ＣＧにおける重量Ｇ０は、保持部３０の第１支持部３０１が支点となり下からＧ１の力で支持され、かつ第２支持部３０２が力点となり上からＧ２の力で支持される。換言すれば、保持部３０は、整流板２０の重心ＣＧを一方側（その背面側）のみで被保持部２２を保持する。これによれば、整流板２０を片持ちすることで、整流板２０を容易に着脱できる。なお、整流板２０は、２つの被保持部２２を通して２つの保持部３０により保持されており、整流板２０の重心ＣＧは、正面視において、その２つの保持部３０のほぼ中間に位置する。従って、保持部３０は、整流板２０の重心ＣＧを、被保持部２２の保持部３０に対する移動方向において一方側で被保持部２２を保持する。
【００４４】
＜第二実施例＞
図７および図８を参照して、本実施例のレンジフード１Ａについて説明する。なお、重複記載を避けるため、上記実施例と異なる点を中心に説明する。レンジフード１Ａは、フード２Ａの背面側部分と送風ボックス３Ａの中にファン４Ａを内蔵し、フード２Ａの正面側は、比較的薄く形成されているので、フード２Ａ全体としては、正面側は薄く、背面側は厚い形をなす。フード２Ａの背面側の面と送風ボックス３Ａの背面側の面は面一となっており、レンジフード１Ａの背面側の面は、キッチン等の壁面に接するように設置される。
【００４５】
レンジフード１Ａの内面パネル１０Ａは、最も高い位置に存しフード２Ａの上面を形成する部材とほぼ接するように設けられる頂部１５Ａと、頂部１５Ａより正面側から背面側へ下方に向けて設けられ、内面パネルの大半を占める非水平部１３Ａと、頂部１５Ａより背面側から正面側に下方へ向けて設けられ、正面側の油煙等を捕集する非水平部０１３Ａを有する。非水平部１３Ａは、ファン４Ａに連通する開口部１１Ａを有し、そこには油分を捕集するためのフィルタ（図示せず）が備えられる。
【００４６】
レンジフード１Ａは、開口部１１Ａの空気の流れの上流側となる前面に整流板２０Ａを備え、油煙等を含む空気の流れを整流し、油分の捕集効率を高める。上昇してきた油煙等を含む空気は、整流板２０Ａと内面パネル１０Ａで受け止められ、内面パネル１０Ａと整流板２０Ａとの間の隙間を通って、開口部１１Ａに吸込まれると共にフィルタで油分が回収され、室外などへ排出される。
【００４７】
非水平部１３Ａは、開口部１１Ａと背面との間に２つの孔１４Ａを有する。もちろんこれに限定されず、孔は、開口部１１Ａと正面との間にあってもよい。孔１４Ａ付近の内面パネル１０Ａの裏面１０ＵＡに、整流板２０Ａを着脱自在に保持する保持部３０Ａが設けられる。保持部３０Ａは、孔１４Ａから挿入される整流板２０Ａの被保持部２２Ａを保持するため、孔１４Ａに対応する位置に設けられる。
【００４８】
整流板２０Ａは、整流板２０Ａの概観を形成する板部２１Ａと、保持部３０Ａに保持される被保持部２２Ａを有する。整流板２０Ａの板部２１Ａは、レンジフード１Ａに取り付けられた時には、非水平部１３Ａとほぼ平行をなすように取り付けられる。被保持部２２Ａは、棒状をなし、その棒状の一端側のほぼ半分程度が板部２１Ａに取り付けられて固定され、他端側が、レンジフード１Ａに取り付けられた場合にほぼ水平となるような角度で形成されている。
【００４９】
被保持部２２Ａの他端は、内面パネル１０Ａの孔１４Ａに対応して設けられ、孔１４Ａに挿入できるように形成されている。被保持部２２Ａの他端側の少なくとも孔１４Ａに挿入される部分は、孔１４の大きさや形状に適合する。本実施例では、被保持部２２Ａは丸棒であり、孔１４Ａは、その丸棒を挿入できる程度の上下方向（正面背面方向）に少し長円の楕円である。
【００５０】
整流板２０Ａがレンジフード１Ａに取り付けられる場合、被保持部２２Ａは、孔１４Ａにその先端部分２２１Ａが差し込まれる。被保持部２２Ａは、その後、孔１４Ａの奥（内面パネル１０Ａの裏面１０ＵＡ）にある保持部３０Ａに対して背面方向に向かって奥の方まで移動し、整流板２０Ａの周縁が内面パネル１０Ａの非水平部１３Ａと適度な隙間を形成する辺りで、整流板２０Ａが装着される。逆に、整流板２０Ａがレンジフード１Ａから取り外される場合、被保持部２２Ａは、装着されていた位置から保持部３０Ａに対して正面方向に向かって移動し、被保持部２２Ａの先端部分２２１Ａが孔１４Ａから抜け出ることで取り外される。
【００５１】
保持部３０Ａは、孔１４Ａの下縁の近傍に設けられた第１支持部３０１Ａと、孔１４Ａから第１支持部３０１Ａより離れた位置に設けられた第２支持部３０２Ａとを備える。整流板２０Ａがレンジフード１Ａに取り付けられた状態では、第１支持部３０１Ａは、被保持部２２Ａを下方から支持し（Ｇ１）、第２支持部３０２Ａは、被保持部２２Ａを上方から支持し（Ｇ２）、整流板２０Ａの全体重量（Ｇ０）を支える。整流板２０Ａがレンジフード１Ａに取り付けられる場合、被保持部２２Ａの先端部分２２１Ａは、孔１４Ａに差し込まれた後、第１支持部３０１Ａを通過し、さらに第２支持部３０２Ａを通過したところで、装着される。このように、被保持部２２Ａを保持部３０Ａに対して移動させて装着することで、整流板２０Ａを容易に着脱できると共に、保持部３０Ａが有る程度の長さに亘って被保持部２２Ａを保持するので、安定した保持が可能となる。
【００５２】
また、保持部３０Ａは、第２支持部３０２Ａよりさらに孔１４Ａから離れて、被保持部２２Ａが保持部３０Ａに対して移動して装着される位置にプッシュラッチ３１Ａを備えてもよく、そのプッシュラッチ３１Ａは、棒状の被保持部２２Ａの先端部分２２１Ａを挟持する。これによれば、仮に整流板２０Ａに振動が生じても、容易に抜け落ちることを防止することができると共に、使用者が容易に整流板２０Ａを着脱できる。
【００５３】
上述したように、保持部３０Ａは、内面パネル１０Ａの裏側に設けられ、被保持部２２Ａは、内面パネル１０Ａの孔１４Ａを通して保持される。これによれば、保持部３０Ａは、内面パネル１０Ａの裏側にあり、孔１４Ａが被保持部２２Ａにより塞がれることでほぼ閉鎖空間内に配置されることとなり、保持部３０Ａが油脂分に触れることはないため、汚れることはない。その結果、保持部３０Ａの清掃は不要となる。また、内面パネル１０Ａには孔１４Ａがあるだけなので、清掃性に優れる。
【００５４】
通常、内面パネル１０Ａの表面や、内面パネル１０Ａと整流板２０Ａとの間の隙間に存在する物は、油分が付着し易く汚れが溜まり易く、また、フード前方からの吸込量を背面側よりも比較的多くしているためにフード前方においては汚れがより多く付着する。しかし、本実施例では、孔１４Ａが位置するのは、レンジフード１Ａの正面側から背面側へ下方に向けて設けられる非水平部１３Ａの背面側である。これによれば、面積の大きい非水平部１３Ａを設けることにより、容易に着脱できる保持部３０Ａの設ける位置の自由度が増大する。また、正面側や側面側において、整流板２０Ａや内面パネル１０Ａには整流板２０Ａを支持するような吊下げ金具のようなものは何も存在しない。従って、レンジフード１Ａの正面側および側面側において内面パネル１０Ａに吊下げ金具等がなく、かつ整流板２０Ａに係止金具等がないので、油脂分が付着する部分が存在せず、清掃性が向上する。また、内面パネル１０Ａと整流板２０Ａとの間において正面側および側面側に吊下げ金具等が無いので、空気の吸込みに悪影響を与えない。また、保持部３０Ａは、内面パネル１０Ａの頂部１５Ａ以外に位置する水平ではない非水平部１３Ａに存することで、ほぼ水平方向に移動する被保持部２２Ａが容易に着脱できる。
【００５５】
＜第二実施例の変形例＞
図９および図１０を参照して、本変形例のレンジフード１Ａ’について説明する。なお、重複記載を避けるため、上記実施例と異なる点を中心に説明する。レンジフード１Ａ’の内面パネル１０Ａ’は、最も高い位置に存しフード２Ａ’の上面を形成する部材とほぼ接するように設けられる頂部１５Ａ’と、頂部１５Ａ’から正面側から背面側へ下方に向けて、途中で大きく屈曲して背面側は垂直に近い角度で設けられる非水平部１３Ａ’と、頂部１５Ａ’から背面側から正面側に下方へ向けて設けられ、正面側の油煙等を捕集する非水平部０１３Ａ’を有する。非水平部１３Ａ’は、ファン４Ａ’に連通する開口部１１Ａ’を有し、そこには油分を捕集するためのフィルタ（図示せず）が備えられる。
【００５６】
レンジフード１Ａ’は、開口部１１Ａ’の空気の流れの上流側となる前面に整流板２０Ａ’を備え、油煙等を含む空気の流れを整流し、油分の捕集効率を高める。上昇してきた油煙等を含む空気は、整流板２０Ａ’と内面パネル１０Ａ’で受け止められ、内面パネル１０Ａ’と整流板２０Ａ’との間の隙間を通って、開口部１１Ａ’に吸込まれると共にフィルタで油分が回収され、室外などへ排出される。
【００５７】
非水平部１３Ａ’は、開口部１１Ａ’と背面との間であって、背面側の垂直に近い角度で設けられる部分に２つの孔１４Ａ’を有する。孔１４Ａ’付近の内面パネル１０Ａ’の裏面１０ＵＡ’に、整流板２０Ａ’を着脱自在に保持する保持部３０Ａ’が設けられる。保持部３０Ａ’は、孔１４Ａ’から挿入される整流板２０Ａ’の被保持部２２Ａ’を保持するため、孔１４Ａ’に対応する位置に設けられる。
【００５８】
整流板２０Ａ’は、整流板２０Ａ’の概観を形成する板部２１Ａ’と、保持部３０Ａ’に保持される被保持部２２Ａ’を有する。整流板２０Ａ’の板部２１Ａ’は、レンジフード１Ａ’に取り付けられた時には、開口部１１Ａ’とは正面側で大きい隙間、背面側で小さい隙間を形成するように取り付けられる。また、板部２１Ａ’は、内面パネル１０Ａ’の屈曲に対応するように大きく湾曲している。
【００５９】
被保持部２２Ａ’は、棒状をなし、その棒状の一端側のほぼ半分程度が板部２１Ａ’に取り付けられて固定され、他端側が、レンジフード１Ａ’に取り付けられた場合にほぼ水平となるような角度で形成されている。被保持部２２Ａ’の他端は、内面パネル１０Ａ’の孔１４Ａ’に対応して設けられ、孔１４Ａ’に挿入できるように形成されている。被保持部２２Ａ’の他端側の少なくとも孔１４Ａ’に挿入される部分は、孔１４’の大きさや形状に適合する。本実施例では、孔１４Ａ’は丸孔であり、被保持部２２Ａ’はその丸孔の径より小さい丸棒で形成されている。
【００６０】
整流板２０Ａ’がレンジフード１Ａ’に取り付けられる場合、被保持部２２Ａ’は、孔１４Ａ’にその先端部分２２１Ａ’が差し込まれる。被保持部２２Ａ’は、その後、孔１４Ａ’の奥（内面パネル１０Ａ’の裏面１０ＵＡ’）にある保持部３０Ａ’に対して背面方向に向かって奥の方まで移動し、整流板２０Ａ’が装着される。逆に、整流板２０Ａ’がレンジフード１Ａ’から取り外される場合、被保持部２２Ａ’は、装着されていた位置から保持部３０Ａ’に対して正面方向に向かって移動し、被保持部２２Ａ’の先端部分２２１Ａ’が孔１４Ａ’から抜け出ることで取り外される。
【００６１】
保持部３０Ａ’は、孔１４Ａ’の下縁の近傍に設けられた第１支持部３０１Ａ’と、孔１４Ａ’から第１支持部３０１Ａ’より離れた位置に設けられた第２支持部３０２Ａ’とを備える。整流板２０Ａ’がレンジフード１Ａ’に取り付けられた状態では、第１支持部３０１Ａ’は、被保持部２２Ａ’を下方から支持し（Ｇ１）、第２支持部３０２Ａ’は、被保持部２２Ａ’を上方から支持し（Ｇ２）、整流板２０Ａ’の全体重量（Ｇ０）を支える。整流板２０Ａ’がレンジフード１Ａ’に取り付けられる場合、被保持部２２Ａ’の先端部分２２１Ａ’は、孔１４Ａ’に差し込まれた後、第１支持部３０１Ａ’を通過し、さらに第２支持部３０２Ａ’を通過したところで、装着される。このように、被保持部２２Ａ’を保持部３０Ａ’に対して移動させて装着することで、整流板２０Ａ’を容易に着脱できると共に、保持部３０Ａ’が有る程度の長さに亘って被保持部２２Ａ’を保持するので、安定した保持が可能となる。
【００６２】
上述したように、保持部３０Ａ’は、内面パネル１０Ａ’の裏側に設けられ、被保持部２２Ａ’は、内面パネル１０Ａ’の孔１４Ａ’を通して保持される。これによれば、保持部３０Ａ’は、内面パネル１０Ａ’の裏側にあり、孔１４Ａ’が被保持部２２Ａ’により塞がれることでほぼ閉鎖空間内に配置されることとなり、保持部３０Ａ’が油脂分に触れることはないため、汚れることはない。その結果、保持部３０Ａ’の清掃は不要となる。また、内面パネル１０Ａ’には孔１４Ａ’があるだけなので、清掃性に優れる。
【００６３】
通常、内面パネル１０Ａ’の表面や、内面パネル１０Ａ’と整流板２０Ａ’との間の隙間に存在する物は、油分が付着し易く汚れが溜まり易く、また、フード前方からの吸込量を背面側よりも比較的多くしているためにフード前方においては汚れがより多く付着する。しかし、本変形例では、孔１４Ａ’が位置するのは、レンジフード１Ａ’の正面側から背面側へ下方に向けて設けられる非水平部１３Ａ’の背面側である。これによれば、面積の大きい非水平部１３Ａ’を設けることにより、容易に着脱できる保持部３０Ａ’の設ける位置の自由度が増大する。また、正面側や側面側において、整流板２０Ａ’や内面パネル１０Ａ’には整流板２０Ａ’を支持するような吊下げ金具のようなものは何も存在しない。従って、レンジフード１Ａ’の正面側および側面側において内面パネル１０Ａ’に吊下げ金具等がなく、かつ整流板２０Ａ’に係止金具等がないので、油脂分が付着する部分が存在せず、清掃性が向上する。また、内面パネル１０Ａ’と整流板２０Ａ’との間において正面側および側面側に吊下げ金具等が無いので、空気の吸込みに悪影響を与えない。また、保持部３０Ａ’は、内面パネル１０Ａ’の頂部１５Ａ’以外に位置する水平ではない非水平部１３Ａ’に存することで、ほぼ水平方向に移動する被保持部２２Ａ’が容易に着脱できる。
【００６４】
＜他の実施例＞
図１１を参照して、他の実施例について説明する。同図（Ａ）に示すように、レンジフード１Ｘは、ファンを内蔵する送風ボックス３Ｘの下部に、内面に内面パネル１０Ｘを有する薄型のフード２Ｘを備える。フード２Ｘは、送風ボックス３Ｘの接続部付近であって、フード２Ｘのほぼ中央部に、ファンにより発生した空気の流れを吸い込む吸込口を備える。吸込口と対応する位置に、内面パネル１０Ｘは開口部１１Ｘを有し、そこには油分を捕集するためのフィルタ（図示せず）が備えられる。レンジフード１Ｘは、開口部１１Ｘの空気の流れの上流側となる前面に整流板２０Ｘを備え、油煙等を含む空気の流れを整流し、油分の捕集効率を高める。
【００６５】
内面パネル１０Ｘは、開口部１１Ｘの周りにおいて、設置された時にはほぼ水平となるようにフード２Ｘの上面とほぼ平行に設けられる水平部１２Ｘを備える。また、内面パネル１０Ｘは、水平部１２Ｘの周囲に、わずかにフード外側に広がるように下方へ延在する非水平部１３Ｘを備える。
【００６６】
背面側の非水平部１３Ｘは、内面パネル１０Ｘの表面に保持部３０Ｘを備える。保持部３０Ｘは、被保持部２２Ｘを保持するために受け入れ可能なように形成されている。整流板２０Ｘは、板部２１Ｘと保持部３０Ｘに保持される被保持部２２Ｘを含む。板部２１Ｘは、整流板２０Ｘがレンジフード１Ｘに取り付けられた時には、水平部１２Ｘとほぼ平行であり、水平となる。被保持部２２Ｘは、棒状をなし、その棒状の一端側が板部２１Ｘに取り付けられて固定され、他端側が、レンジフード１Ｘに取り付けられた場合に整流板２０Ｘの背面側となる一辺から突出する。
【００６７】
被保持部２２Ｘの突出した他端は、保持部３０Ｘに対応して設けられ、保持部３０Ｘに係合するように形成されている。整流板２０Ｘがレンジフード１Ｘに取り付けられる場合、被保持部２２Ｘの先端部分を、背面側の保持部３０Ｘの方へ移動させ、下方へ下ろすことで保持部３０Ｘに差し込む。このようにすることで、整流板２０Ｘは、レンジフード１Ｘに装着される。
【００６８】
また、同図（Ｂ）に示すように、背面側の非水平部１３Ｙは、孔１４Ｙを備え、内面パネル１０Ｙの裏面に保持部３０Ｙを備える。保持部３０Ｙは、被保持部２２Ｙを保持するために受け入れ可能なように形成されている。整流板２０Ｙは、板部２１Ｙと保持部３０Ｙに保持される被保持部２２Ｙを含む。
【００６９】
被保持部２２Ｙは、棒状をなし、その棒状の一端側が板部２１Ｙに取り付けられて固定され、他端側が、レンジフード１Ｙに取り付けられた場合に整流板２０Ｙの背面側となる一辺から突出する。被保持部２２Ｙの突出した他端は、孔１４Ｙに対応して設けられ、保持部３０Ｙに係合するように形成されている。整流板２０Ｙがレンジフード１Ｙに取り付けられる場合、被保持部２２Ｙの先端部分を、背面側の保持部３０Ｙの方へ移動させ、孔１４Ｙを通過させ、下方へ下ろすことで保持部３０Ｙに差し込む。このようにすることで、整流板２０Ｙは、レンジフード１Ｙに装着される。
【００７０】
なお、本発明は、例示した実施例に限定するものではなく、特許請求の範囲の各項に記載された内容から逸脱しない範囲の構成による実施が可能である。即ち、本発明は、主に特定の実施形態に関して特に図示され、かつ説明されているが、本発明の技術的思想および目的の範囲から逸脱することなく、以上述べた実施形態に関し、形状、材質、数量、その他の詳細な構成において、当業者が様々な変形を加えることができるものである。従って、上記に開示した形状などを限定した記載は、本発明の理解を容易にするために例示的に記載したものであり、本発明を限定するものではないから、それらの形状等の限定の一部もしくは全部の限定を外した部材の名称での記載は、本発明に含まれるものである。
【符号の説明】
【００７１】
１      レンジフード
２      フード
２Ｕ    フード上面
３      送風ボックス
４      ファン
１０    内面パネル
１０Ｕ  内面パネル裏面
１１    開口部
１２    水平部
１３    非水平部（側面）
１４    孔
１５    頂部
２０    整流板
２１    板部
２２    被保持部
２２１  先端部分
２３    立ち上り部
３０    保持部
３０１  第１支持部
３０２  第２支持部
３１    プッシュラッチ
ＣＧ    整流板の重心
ＤＭ    整流板の移動方向
【図１】
2015152296.tif 000003
【図２】
2015152296.tif 000004
【図３】
2015152296.tif 000005
【図４】
2015152296.tif 000006
【図５】
2015152296.tif 000007
【図６】
2015152296.tif 000008
【図７】
2015152296.tif 000009
【図８】
2015152296.tif 000010
【図９】
2015152296.tif 000011
【図１０】
2015152296.tif 000012
【図１１】
2015152296.tif 000013